(57)【要約】      （修正有）【課題】常時顔面に装着しておく必要がなく、必要の都度簡単に使え、かつ不用時には手をはなせ、周囲の人に名前等を分かってもらえやすくする飛沫防止具を提供する。【解決手段】飛沫防止具は、マスク部１１と一対の耳かけ紐１２、１３とからなるマスク１と、マスク１を人の手で顔面に保持するための保持具２と、保持具２を人の首から吊下げる吊り紐とからなり、保持具２は、人を表示するカードを保持するカード保持部を備える。握り部２１があるので手で持ちやすく、左マスク保持片２２と右マスク保持片２３で耳かけ紐１２、１３を使ってマスク部１１を保持できるので、手で持って顔面にマスク１を保持する使い方が容易に行える。【選択図】図４
0003234018.tif 000002
【実用新案登録請求の範囲】
【請求項１】
マスク部と一対の耳かけ紐とからなるマスクと、
該マスクを人の手で顔面に保持するための保持具と、
該保持具を人の首から吊下げる吊り紐とからなり、
前記保持具は、人を表示する識別カードを保持するカード保持部を備える
ことを特徴とする飛沫防止具。
【請求項２】
前記保持具は、人の手で持つ握り部と、
前記マスクを広げた状態で前記マスク部を保持するマスク保持部とを備える
ことを特徴とする請求項１記載の飛沫防止具。
【請求項３】
前記マスク保持部は、左右一対となる左マスク保持片および右マスク保持片とからなり、
該左マスク保持片および右マスク保持片は前記握り部に連続して形成されている
ことを特徴とする請求項２記載の飛沫防止具。
【請求項４】
前記カード保持部は、前記マスク保持部の中央部分に形成された識別カードの左右両縁を挟む左挟持片および右挟持片と名詞の底縁を挟む底挟持片とからなる
ことを特徴とする請求項２または３記載の飛沫防止具。
【考案の詳細な説明】
【技術分野】
【０００１】
本考案は、飛沫防止具に関する。
【背景技術】
【０００２】
ウイルスの感染予防には人の口から飛散する呼気を妨ぐマスクまたはフェイスシールドの装着が効果的とされている。
特許文献１の従来技術は、使用者の口及び外鼻孔を被覆できるとともに、取外さずに飲食することができるマスク型シールドであって、マスク型シールドは、使用者の口と外鼻孔を覆うシールド本体をフレームに取付け、フレームの両端に接続された一対の線状体を使用者の耳に掛けるよう構成されている。
しかるに、マスク型シールドは重く装着者は不自由を感じやすい。
【０００３】
特許文献２の従来技術は、装着者の口から飛散される呼気を他人に正面から直接放射せず、また他人からの呼気を直接正面から受けず、更にマスク本体を上に動かすことで、マスクを着けたまま飲食、会話することを可能にするフェイスシールドに似たマスクであって、透明のポリプロビレン又は塩化ビニール製のシートを型紙に沿って切り抜き、マスク本体及び額抑え、マスク支えを一体のものとして作成し、自分の口や相手の口から飛散される呼気が装着者のマスク本体に当たるよう構成されている。
しかるに、このマスクは顔面における眼の周り以外を覆うものであるため、装着や取り外しに手間がかかりわずらわしいものである。
【０００４】
そこで本考案者は、特許文献３の飛沫防止具を提案した。この飛沫防止具は、マスク部と一対の耳かけ紐とからなるマスクと、該マスクを人の手で顔面に保持するための保持具とからなることを特徴とする。
ゆえに、保持具を手に持ってマスクを顔面に保持できるので、必要の都度簡単に使え、常時顔面に装着しておくわずらわしさから解放されるという利点がある。
しかし、飛沫防止具をいつも手に持っておくのは片手がふさがり、会話も食事もしにくい。また、顔を覆うので人を判別しがたい。
【先行技術文献】
【特許文献】
【０００５】
【特許文献１】実用新案登録第３２２８３４８号公報
【特許文献２】実用新案登録第３２２８９４３号公報
【特許文献３】実用新案登録第３２３０８３６号公報
【考案の概要】
【考案が解決しようとする課題】
【０００６】
本考案は上記事情に鑑み、常時顔面に装着しておく必要がなく、必要の都度簡単に使え、かつ不用時には手をはなせ周囲の人に名前等を分かってもらえやすくする飛沫防止具を提供することを目的とする。
【課題を解決するための手段】
【０００７】
第１考案の飛沫防止具は、マスク部と一対の耳かけ紐とからなるマスクと、該マスクを人の手で顔面に保持するための保持具と、該保持具を人の首から吊下げる吊り紐とからなり、前記保持具は、人を表示する識別カードを保持するカード保持部を備えることを特徴とする。
第２考案の飛沫防止具は、第１考案において、前記保持具は、人の手で持つ握り部と、前記マスクを広げた状態で前記マスク部を保持するマスク保持部とを備えることを特徴とする。
第３考案の飛沫防止具は、第２考案において、前記マスク保持部は、左右一対となる左マスク保持片および右マスク保持片とからなり、該左マスク保持片および右マスク保持片は前記握り部に連続して形成されていることを特徴とする。
第４考案の飛沫防止具は、第２および第３考案において、前記カード保持部は、前記マスク保持部の中央部分に形成された識別カードの左右両縁を挟む左挟持片および右挟持片と名詞の底縁を挟む底挟持片とからなることを特徴とする。
【考案の効果】
【０００８】
第１考案によれば、保持具を手で持ってマスクを顔面に保持できるので、必要の都度簡単に使え、常時顔面に装着しておくわずらわしさから解放される。吊り紐で首から飛沫防止具を吊り下げることができるので、両手を自由に使え、かつカード保持部に名刺などの識別カードを取付けておけば周囲の人に名前を知らせることができる。
第２考案によれば、握り部があるので手で持ちやすく、マスク保持部で耳かけ紐を使ってマスク部を保持できるので、手で持って顔面にマスクを保持する使い方が容易に行える。
第３考案によれば、左右一対のマスク保持片と握り部が一連に続いた部材なので、紙を素材として簡単に製作できる。
第４考案によれば、左右の挟持片と底挟持片に名刺などの識別カードを差し込めば、自分の名前を周囲の人に知らせることができ、社交上便利である。
【図面の簡単な説明】
【０００９】
【図１】本考案の第１実施形態に係る飛沫防止具Ａの使用状態を示す説明図である。
【図２】図１の飛沫防止具Ａで縦刷り名刺を保持し首から下げている状態の説明図である。
【図３】図１の飛沫防止具Ａで横刷り名刺を保持し首から下げている状態の説明図である。
【図４】飛沫防止具Ａにおけるマスク１と保持具２を分けて示す平面図である。
【図５】飛沫防止具Ａの裏面図である。
【図６】飛沫防止具Ａの正面図である。
【図７】本考案の第２実施形態に係る飛沫防止具Ｂの正面図である。
【考案を実施するための形態】
【００１０】
つぎに、本考案の実施形態を図面に基づき説明する。
（第１実施形態）
図５は使用時には顔側になる裏面を示し、図４および図６は使用時には非顔側となる正面を示している。本明細書で左右は図５を基準として用いる。なお、保持具２の正面はドットを付しており、裏面はドットを付さないで形状線のみを示している。
【００１１】
本実施形態の飛沫防止具Ａは、図４および図５に示すようにマスク１と保持具２とから構成される。
マスク１は市販のマスクをとくに制限なく用いることができる。図示のマスク１は四角形のマスク部１１と、その両端にそれぞれ取り付けられた耳かけ紐１２，１３とからなる。マスク１の素材は、不織布や綿布など任意のものであってよい。
【００１２】
保持具２は、上記したマスク１を顔面で保持するための手段である。
保持具２は、人の手で持つ握り部２１と、マスク１を広げた状態でマスク部１１を保持し、かつ耳かけ紐１２，１３を引掛けてマスク部１１を保持するマスク保持部とを備える。
マスク保持部は、左右一対となる左マスク保持片２２および右マスク保持片２３とからなり、左マスク保持片２２および右マスク保持片２３は連結部２４を介して握り部２１に連続するように形成されている。
【００１３】
保持具２は、上記のように一体に連なった部材であり、素材は紙や樹脂シートなどが利用できる。
保持具２は手で持った状態で、その形状を維持できる程度の剛性をもつことが望ましく、そのため、紙や樹脂シートは多少とも厚みのある厚紙か厚手のシートとすることが好ましい。
【００１４】
以下、図５に基づき説明する。なお、図４および図６での左右は、図５の左右と反対となる。
左マスク保持片２２の上端には引掛け孔３１が形成され、下端には引掛け孔３２が形成されている。この引掛け孔３１，３２にはマスク１の耳かけ紐１２が通される。
右マスク保持片２３の上端には引掛け孔３３が形成され、下端には引掛け孔３４が形成されている。この引掛け孔３３，３４にはマスク１の耳かけ紐１３が通される。
【００１５】
図４および図６に示すように、握り部２１と連結部２４の境界部分には、引掛け片３６，３７が形成されている。また連結部２４の中央上端部には引掛け片３５が形成されている。
引掛け片３５にはマスク１のマスク部１１の下縁が保持される。
図５に示すように、引掛け片３６，３７には耳かけ紐１２，１３の末端部が引掛けられる。
【００１６】
右マスク保持片２３の上端には紐通し孔４１が形成され、左マスク保持片２２の上端には紐通し孔４３が形成されている。この両紐通し孔４１，４３には吊り紐４０が通されて、くくり付けられる。
【００１７】
保持具２の中央部分、すなわち、握り部２１から連結部２４にかけては、カード保持部が形成されている。
このカード保持部は、人を表示する識別カードを保持するものである。本明細書にいう識別カードの代表的なものは名刺であるが、これ以外にも、特定企画の参加証、入室許可証、聴講者証など様々なものが特に制限なく含まれる。
本考案のカード保持部には、縦形カードの保持部と横形カードの保持部の両方がある。
縦形カードの保持部は、カードの左右両縁を挟む左挟持片５１および右挟持片５２と名詞の底縁を挟む底挟持片５５とからなる。
横形カードの保持部は、カードの左右両縁を挟む左挟持片５３および右挟持片５４と名詞の底縁を挟む底挟持片５５とからなる。
【００１８】
本実施形態の飛沫防止具Ａは、不使用時には、図４に示すようにマスク１と保持具２とを分離しておいて、保管したり携帯することが可能であり、販売時に販売用商品袋に別々に収納しておくこともできる。
【００１９】
使用に際しては、図５および図６に示すように、耳かけ紐１２，１３を保持具２に引掛けてマスク１を装着する。この状態で、マスク１の中央部上端を上に引っ張り上げれば、マスク１は立体的な形となり、口元にゆとりのある空間を確保できる。
そして、図１に示すように、保持具２を手で持ってマスク１を顔面に保持できるので、必要の都度簡単に使え、常時顔面に装着しておくわずらわしさから解放される。
【００２０】
また、握り部２１があるので手で持ちやすく、手で持って顔面にマスク１を保持する使い方が容易に行える。しかも、飛沫防止具Ａの表面に名刺Ｎｃなどの識別カードを挟み込んでおけるので、顔がマスク１で半分位かくれていても周囲の人に使用者の名前を知ってもらうことができる。
【００２１】
飛沫防止具Ａを使用しないときは、吊り紐４０で飛沫防止具Ａを首から下げておけば、両手を自由に使うことができる。この場合でも、カード保持部に自己の名刺Ｎｃなどの識別カードを差し込んでおけば、飛沫防止具Ａの使用時でも不使用時でも、周囲の人の自己の名前を知ってもらうことができ、社交に好都合である。図２は縦形名刺Ｎｃを保持した状態であり、図３は横形名刺Ｎｃを保持した状態を示している。
【００２２】
（第２実施形態）
図７に示す第２実施形態の飛沫防止具Ｂは、基本構成が第１実施形態の飛沫防止具Ａと同じであるが、細部の形状が異なっている。以下では異なっている部分のみ説明する。
図７に示す紐通し孔４１，４３は三角形の孔とその孔の一つの頂点から延びるスリットからなる。
吊り紐４０は三角形の孔に通した後でスリットに挟まるように引き上げると、耳かけ紐１３の端末がスリットで止められる。なお、吊り紐４０の端末はくくりぼしを付けておけば、紐通し孔４１，４３から抜け出ることはない。
【００２３】
カード保持部を左右の挟持片５１，５２および左右の挟持片５３，５４は、三角形の舌片であってもよい。三角形であると根元が幅広いので、挟持片に充分な強度を与えることができる。
【００２４】
マスク１の耳かけ紐１２，１３を引掛ける引掛け片３６，３７は、各片の下縁が傾斜していてもよい。第１実施形態における引掛け片３６，３７の下縁は水平である（図５参照）が、図７に示すように引掛け片３６，３７の下縁が傾斜していると各片３６，３７の根元の両端に耳かけ紐１２，１３の引張りが均等にかかるので、引掛け片３６，３７が変形しにくくなる。
【００２５】
（その他の実施形態）
以上に、本考案の第１および第２の実施形態を説明したが、飛沫防止具の各部の形状は、その機能を果たす限りどのように変更してもよい。
したがって、紐通し孔４１，４３の形状は、上記以外のものも吊り紐４０を通して係止できる限り、どのようなものでもよい。
また、カード保持部の挟持片５１，５２および挟持片５３，５４もカードを保持できる限り上記と異なる形状であってもよい。
【００２６】
上記各実施形態の飛沫防止具Ａは、左右一対のマスク保持片２２，２３と握り部２１が一連に続いた部材なので、紙や樹脂シートを素材として簡単に製作できる。
また、素材を紙とすると安価に製作できる。
【符号の説明】
【００２７】
１  マスク
２  保持具
１１  マスク部
１２、１３  耳かけ紐
２１  握り部
２２  左マスク保持片
２３  右マスク保持片
４０  吊り紐
５１  左挟持片
５２  右挟持片
５３  左挟持片
５４  右挟持片
５５  底挟持片
【図１】
0003234018.tif 000003
【図２】
0003234018.tif 000004
【図３】
0003234018.tif 000005
【図４】
0003234018.tif 000006
【図５】
0003234018.tif 000007
【図６】
0003234018.tif 000008
【図７】
0003234018.tif 000009